(57)【要約】【課題】  安価で工期が短く、人力での運搬、設置が容易なコンクリートブロックによる基礎構造体の提供。【解決手段】  建物用設備Ａの設置する際、設備Ａを地面に支持する基礎構造体１０であって、平板状のプレキャストコンクリートブロックで形成された左右一対の底板端部材２０、２１と、その間に嵌合する底板連結部材２２から構成された底板１１を設備設置地面３７に配置し、底板１１上に平板状のプレキャストコンクリートブロックで形成された前後一対の上板端部材３０，３１と、その間に嵌合する上板連結部材３２から構成された上板１２を、底板端部材２０、２１に架設するように配置し、底板１１に埋設したアンカーナット２３に上板１２に設けた連結孔３３にボルト３６を通して締め付け、上板１２と底板１１を一体とし、上板１２と底板１１に設けた固定孔２４，３４を貫通し地中まで挿入したアンカーボルト１３をナット３９で締め付け設備設置地面３７に固定した。【選択図】  図１
2011179213.tif 000002
【特許請求の範囲】
【請求項１】
建物用設備の設置する際、該設備を地面に支持する基礎構造体であって、
平板状のプレキャストコンクリートブロックで形成された左右一対の底板端部材と、その間に嵌合する底板連結部材から構成された底板を前記設備設置地面に配置し、該底板上に平板状のプレキャストコンクリートブロックで形成された前後一対の上板端部材と、その間に嵌合する上板連結部材から構成された上板を、前記底板端部材に架設するように配置し、
前記底板に埋設したアンカーナットに前記上板に設けた連結孔にボルトを通して締め付け、該上板と前記底板を一体とし、前記上板と前記底板に設けた固定孔を貫通し地中まで挿入したアンカーボルトをナットで締め付け前記設備設置地面に固定したことを特徴としてなるコンクリートブロックによる基礎構造体。
【請求項２】
前記底板は、上面に開口した前記アンカーナットを備える左右の前記底板端部材の下部から該底板連結部材側にフランジ状に張り出した連結部材支持片を備え、前記底板連結部材には上部から左右にフランジ状に張り出した端部材架片を備え、前記連結部材支持片上に該端部材架片が噛合し、
前記上板は、上下に貫通する前記連結孔を備える前後の前記上板端部材の上部から該上板連結部材側にフランジ状に張り出した連結部材架片を備え、前記上板連結部材には下部から前後にフランジ状に張り出した端部材支持片を備え、該端部材支持片上に前記連結部材架片が噛合している請求項１に記載のコンクリートブロックによる基礎構造体。
【発明の詳細な説明】
【技術分野】
【０００１】
本発明は、建物の屋外設備を地面に設置する際、屋外設備を支持する基礎を構成するコンクリートブロックによる基礎構造体に関する。
【背景技術】
【０００２】
給湯器や室外機、ボイラーなどの設備を屋外の地面に設置する場合には、これらを支持する架台としてコンクリート製の基礎を用いるのが一般的である。
【０００３】
例えば、設置予定の地面を所定の範囲掘削した後、そこへ捨石を敷き詰めて均し、所謂捨てコンクリートを打設する。この捨てコンクリートに差し筋を施し、鉄筋を配して型枠を作成する。そこへコンクリートを打設し、設備設置の基礎とする方法が行われている。（例えば、特許文献１）
【０００４】
しかし、このような方法ではコンクリート打設の為の施工期間を要し、設備設置までの工期がかかるという問題があった。
【０００５】
その為、設置予定の地面を所定の範囲掘削した後、そこへ捨石を敷き詰めて均した上にプレキャストコンクリートブロックを用いて設置することで基礎とする方法が行われることもある。
【先行技術文献】
【特許文献】
【０００６】
【特許文献１】特開平１１−１８１７９５号公報
【発明の開示】
【発明が解決しようとする課題】
【０００７】
しかし、上述の如き従来の技術のプレキャストコンクリートブロックを用いる場合、プレキャストコンクリートブロック自体の重量が２００ｋｇを超えるものとなり、人力での運搬、設置が困難であるという問題があった。
【０００８】
その為、機械での運搬を行うことになるが、設置される設備は一般的には家屋の敷地の空いた隙間、庭などに設置する場合が多く、稼動場所を必要とする機械を用いてプレキャストコンクリートブロックを狭所な建物の脇を通って運搬、設置が難しいという問題があった。
【０００９】
そこで本発明は、上述の従来技術の問題を鑑み、安価で工期が短く、人力での運搬、設置が容易なコンクリートブロックによる基礎構造体の提供を目的とする。
【課題を解決するための手段】
【００１０】
上述の如き従来の問題を解決し、所期の目的を達成するための請求項１に記載の発明の特徴は、建物用設備の設置する際、該設備を地面に支持する基礎構造体であって、平板状のプレキャストコンクリートブロックで形成された左右一対の底板端部材と、その間に嵌合する底板連結部材から構成された底板を前記設備設置地面に配置し、該底板上に平板状のプレキャストコンクリートブロックで形成された前後一対の上板端部材と、その間に嵌合する上板連結部材から構成された上板を、前記底板端部材に架設するように配置し、前記底板に埋設したアンカーナットに前記上板に設けた連結孔にボルトを通して締め付け、該上板と前記底板を一体とし、前記上板と前記底板に設けた固定孔を貫通し地中まで挿入したアンカーボルトをナットで締め付け前記設備設置地面に固定したコンクリートブロックによる基礎構造体にある。
【００１１】
請求項２に記載の発明の特徴は、請求項１の構成に加え、前記底板は、上面に開口した前記アンカーナットを備える左右の前記底板端部材の下部から該底板連結部材側にフランジ状に張り出した連結部材支持片を備え、前記底板連結部材には上部から左右にフランジ状に張り出した端部材架片を備え、前記連結部材支持片上に該端部材架片が噛合し、前記上板は、上下に貫通する前記連結孔を備える前後の前記上板端部材の上部から該上板連結部材側にフランジ状に張り出した連結部材架片を備え、前記上板連結部材には下部から前後にフランジ状に張り出した端部材支持片を備え、該端部材支持片上に前記連結部材架片が噛合していることにある。
【発明の効果】
【００１２】
本発明に係るコンクリートブロックによる基礎構造体は、建物用設備の設置する際、該設備を地面に支持する基礎構造体であって、平板状のプレキャストコンクリートブロックで形成された左右一対の底板端部材と、その間に嵌合する底板連結部材から構成された底板を前記設備設置地面に配置し、該底板上に平板状のプレキャストコンクリートブロックで形成された前後一対の上板端部材と、その間に嵌合する上板連結部材から構成された上板を、前記底板端部材に架設するように配置し、前記底板に埋設したアンカーナットに前記上板に設けた連結孔にボルトを通して締め付け、該上板と前記底板を一体とし、前記上板と前記底板に設けた固定孔を貫通し地中まで挿入したアンカーボルトをナットで締め付け前記設備設置地面に固定することにより、一つのプレキャストコンクリートブロックが軽量で狭い場所でも人力で運搬が可能であり、また施工方法が容易で施工期間が短くて済む。
【００１３】
また、本発明においては、前記底板は、左右の前記底板端部材の下部から該底板連結部材側にフランジ状に張り出した連結部材支持片を備え、前記底板連結部材には上部から左右にフランジ状に張り出した端部材架片を備え、前記連結部材支持片上に該端部材架片が噛合し、前記上板は、前後の前記上板端部材の上部から該上板連結部材側にフランジ状に張り出した連結部材架片を備え、前記上板連結部材には下部から前後にフランジ状に張り出した端部材支持片を備え、該端部材支持片上に前記連結部材架片が噛合させるようにすることにより、前記ボルトで締め付けた際、連結部材支持片が端部材架片を上方向に、連結部材架片が端部材支持片を下方向に、押さえつけることになり、底板連結部材及び、上板連結部材の抜け止めとなると共に、少ないボルト数でも底板と上板が確実に一体化される。
【図面の簡単な説明】
【００１４】
【図１】本発明に係る基礎構造物の使用状態の一例を示す斜視図である。
【図２】同上の基礎構造体の平面図である。
【図３】同上のＡ−Ａ線断面図である。
【図４】図２のＢ−Ｂ線断面図である。
【図５】図２に示す基礎構造体の分解斜視図である。
【発明を実施するための最良の形態】
【００１５】
次に、本発明に係る基礎構造体について説明する。
【００１６】
図１は、本発明に係るコンクリートブロックによる基礎構造体の使用状態の一例を示しており、図中符号１０は基礎構造体であり、Ａは屋外設備である。
【００１７】
この基礎構造体１０は地面に接する底板１１と、その上に重なる上板１２からなり、アンカーボルト１３によって一体化、及び地面に固定され、屋外設備Ａを支持している。
【００１８】
底板１１は、板状のプレキャストコンクリート製のブロックで形成された左右一対の底板端部材２０、２１と、その間に嵌合する底板連結部材２２とで構成されている。
【００１９】
底板端部材２０、２１は、図３に示すように、下部から底板連結部材２２側にフランジ状に張り出した連結部材支持片２０ａ、２１ａを備え、前後にそれぞれ上面に開口したアンカーナット２３，２３...が埋め込まれている。また、アンカーナット２３の隣には上下に貫通した挿通孔２４，２４...が設けられている。
【００２０】
底板連結部材２５は、上部から左右にフランジ状に張り出した端部材架片２５ａ、２５ａを備えている。
【００２１】
連結部材支持片２０ａ、２１ａ上に端部材架片２５ａ、２５ａが噛合し、底板１１が一体となっている。
【００２２】
上板１２は、板状のプレキャストコンクリート製のブロックで形成された前後一対の上板端部材３０、３１と、その間に嵌合する上板連結部材３２とで構成されている。
【００２３】
上板端部材３０、３１は、図４に示すように、上部から底板連結部材３２側にフランジ状に張り出した連結部材架片３０ａ、３１ａを備え、上板端部材３０、３１が底板端部材２０、２１に跨るよう積まれた際に下面のアンカーナット２３，２３...に当たる位置に上下に貫通した連結孔３３，３３...が開口しており、連結孔３３の上部は径が大きくなっておりアンカーナット２３に挿入されるボルト３６の反力受３３ａが形成されている。さらに上板端部材３０、３１には、底板端部材２０、２１の挿通孔２４，２４...に連通する固定孔３４，３４...が開口しており、固定孔３４の上部は径が大きくなっており、反力受３４ａが形成されている。
【００２４】
上板連結部材３２は、下部から前後にフランジ状に張り出した端部材支持片３２ａ、３２ａを備えている。
【００２５】
端部材支持片３２ａ、３２ａ上に連結部材架片３０ａ、３１ａが噛合し、上板１２が一体となっている。
【００２６】
また、上板１２には設置する装置Ａを固定するアンカーナット３５が上面に開口した状態で埋め込まれている。
【００２７】
なお、本実施例ではアンカーナット３５は上板端部材３０に１箇所、上板端部材３１に２箇所となっているが、数や位置はこれの限りではなく、装置に合わせて位置を決定する為、アンカーナット３５の埋設位置は上板連結部材３２であっても良く、固定方法もアンカーナットの限りではない。
【００２８】
次に本発明に係る基礎構造体の設置方法について説明する。
【００２９】
まず、装置Ａ設置地面を所定の範囲掘削し、捨石を敷き詰め均し設置地面３７とする。その上に底板１１を敷設し、その上に上板１２を積み重ねる。上板端部材３０、３１が底板端部材２０、２１に跨るよう積み重ね、アンカーナット２３，２３...に連通した連結孔３３，３３...にボルト３６，３６...を挿入し固定することにより、底板１１と上板１２とが一体化される。
【００３０】
ボルト３６で締め付けることで、連結部材支持片２０ａ、２１ａが端部材架片２２ａ、２２ａを上方向に、連結部材架片３０ａ、３１ａが端部材支持片３２ａ、３２ａを下方向に、押さえつけることになり、底板連結部材２２及び、上板連結部材３２の抜け止めとなると共に、ボルト３６，３６...による４箇所の締め付けで底板１１と上板１２の６枚のプレキャストコンクリートブロックを一体化している。
【００３１】
一体化した底板１１と上板１２は挿通孔２４，２４...と固定孔３４，３４...とが連通し、さらにそこに連通するアンカーボルト挿入孔３８を設置地面３７を掘削して形成し、挿入孔３８にアンカーボルト１３，１３...を挿入する。アンカーボルト１３は挿通孔２４と固定孔３４を通って底板１１と上板１２を貫通し、地中へと埋め込まれ、ナット３９で固定孔３４上部反力受３４ａに定着させて、基礎構造体１０を設備Ａの設置位置に固定する。
【００３２】
その後、基礎構造体１０上に設備Ａを積載し、上面に開口したアンカーナット３５，３５...にボルト４０，４０...を挿入して固定する。
【符号の説明】
【００３３】
Ａ  装置
１０  基礎構造体
１１  底板
１２  上板
１３  アンカーボルト
２０  底板端部材
２１  底板端部材
２０ａ  連結部材支持片
２１ａ  連結部材支持片
２２  底板連結部材
２２ａ  端部材架片
２３  アンカーナット
２４  挿通孔
３０  上板端部材
３１  上板端部材
３０ａ  連結部材架片
３１ａ  連結部材架片
３２  上板連結部材
３２ａ  端部材支持片
３３  連結孔
３３ａ  反力受
３４  固定孔
３４ａ  反力受
３５  アンカーナット
３６  ボルト
３７  設置地面
３８  挿入孔
３９  ナット
４０  ボルト
【図１】
2011179213.tif 000003
【図２】
2011179213.tif 000004
【図３】
2011179213.tif 000005
【図４】
2011179213.tif 000006
【図５】
2011179213.tif 000007